(57)【特許請求の範囲】
【請求項１】
不動部材（Ａ）に対して定着具（３４）により固定して取付けられる据え部（２）と、物品（１００）を取付ける物品取付部（３）と、前記据え部（２）と前記物品取付部（３）とを連結させた球継手部（４）と、を有し、
前記球継手部（４）は、第１の台座（１７）と、前記第１の台座（１７）に可動に係合させた二つ割の抱球部材（１９・２０）と、前記二つ割の抱球部材（１９・２０）間に抱持させた球体（２３）と、前記二つ割の抱球部材（１９・２０）に連結され、回動操作レバー（２２）により締め方向に回動されることで前記二つ割の抱球部材（１９・２０）を球体（２３）を挟んで引き締めて球体（２３）の動きを固定化し、緩め方向に回動されることで前記二つ割の抱球部材（１９・２０）の引き締めを緩めて球体（２３）の動きを自由にする横ねじ棒（２１）と、前記球体（２３）に首部（２４）を介して連設した第２の台座（２５）と、前記第２の台座（２５）に同軸に具備させた第１と第２の転輪（２６・２７）と、前記第１の転輪（２６）の中央部に具備させた雌ねじ部材（２９）と、前記第２の転輪（２７）の中央部に具備され、前記第１の転輪（２６）の雌ねじ部材（２９）に螺合させた第１の雄ねじ部材（２９）とその先端に同軸に連設され前記第２の台座（２５）の外側に突出している第２の雄ねじ部材（３０）とからなる二段雄ねじ（２９・３０）と、を有し、
前記球継手部（４）の第１の台座（１７）は前記据え部に対して結合位置を変更可能に、かつ結合・分離自在に構成され、
前記物品取付部（３）は、前記球継手部（４）の前記第２の台座（２５）から外側に突出している第２の雄ねじ部材（３０）と螺合して前記第２の台座（２５）に結合・分離自在に取り付けられる第１部材（９）と、前記物品（１００）に結合・分離自在に構成され、かつ前記第１部材（９）に結合・分離自在に取り付けられる第２部材（８）からなる
ことを特徴とする架台。
【発明の詳細な説明】
【０００１】
【発明が属する技術分野】
本発明は物品を支持姿勢調節可能に設置する架台に関する。
【０００２】
【従来の技術】
例えば投影装置（液晶ビデオプロジェクター、３管式ビデオプロジェクター、映写機、幻灯機等）を天井から吊り下げて設置し、壁面等に設置したスクリーンの面に映像を投影する方式の場合、投影装置は天井側の不動部材に対して天吊り架台を介して支持姿勢調節可能に設置される（例えば、特開平９−１８５１２５号公報）。
【０００３】
【発明が解決しようとする課題】
例えば３管式ビデオプロジェクターなどは５０〜６０ｋｇの重量物であり、そのために従来の天吊り架台はそのような重量物を十分に支持することができ、しかも吊り下げ設置の投影装置の位置や姿勢を所要に調整でき、その調整状態を安定に保持することができる必要があり、一般的には大型で、部品点数の多い複雑な構造で、また設置や調整に手間がかかるものが多い。
【０００４】
最近は、例えば液晶ビデオプロジェクターなどは小型化・軽量化が進み、重量が３〜５ｋｇ程度の軽量品も出現していることから、より簡便で安価な天吊り架台が要望されている。
【０００５】
本発明はこの要望に応えるものである。
【０００６】
【課題を解決するための手段】
本発明は下記の構造を特徴とする架台である。
【００１２】
不動部材（Ａ）に対して定着具（３４）により固定して取付けられる据え部（２）と、物品（１００）を取付ける物品取付部（３）と、前記据え部（２）と前記物品取付部（３）とを連結させた球継手部（４）と、を有し、
前記球継手部（４）は、第１の台座（１７）と、前記第１の台座（１７）に可動に係合させた二つ割の抱球部材（１９・２０）と、前記二つ割の抱球部材（１９・２０）間に抱持させた球体（２３）と、前記二つ割の抱球部材（１９・２０）に連結され、回動操作レバー（２２）により締め方向に回動されることで前記二つ割の抱球部材（１９・２０）を球体（２３）を挟んで引き締めて球体（２３）の動きを固定化し、緩め方向に回動されることで前記二つ割の抱球部材（１９・２０）の引き締めを緩めて球体（２３）の動きを自由にする横ねじ棒（２１）と、前記球体（２３）に首部（２４）を介して連設した第２の台座（２５）と、前記第２の台座（２５）に同軸に具備させた第１と第２の転輪（２６・２７）と、前記第１の転輪（２６）の中央部に具備させた雌ねじ部材（２９）と、前記第２の転輪（２７）の中央部に具備され、前記第１の転輪（２６）の雌ねじ部材（２９）に螺合させた第１の雄ねじ部材（２９）とその先端に同軸に連設され前記第２の台座（２５）の外側に突出している第２の雄ねじ部材（３０）とからなる二段雄ねじ（２９・３０）と、を有し、
前記球継手部（４）の第１の台座（１７）は前記据え部に対して結合位置を変更可能に、かつ結合・分離自在に構成され、
前記物品取付部（３）は、前記球継手部（４）の前記第２の台座（２５）から外側に突出している第２の雄ねじ部材（３０）と螺合して前記第２の台座（２５）に結合・分離自在に取り付けられる第１部材（９）と、前記物品（１００）に結合・分離自在に構成され、かつ前記第１部材（９）に結合・分離自在に取り付けられる第２部材（８）からなる
ことを特徴とする架台。
【００１３】
<作  用>
据え部は架台が天吊り架台として使用される場合には天井側の不動部材に対してボルト等の定着具により固定して取付ける。或いは机面上や床面上等に据え置く。さらにはボルト等の定着具により固定して取付ける。
【００１４】
物品取付部には物品を直接に或いは他物を介して取付ける。
【００１５】
そして、据え部と物品取付部は自在継手部で連結してあるから、物品取付部に保持させた物品は物品取付部を自在継手部により据え部に対して傾動操作・回転操作することで容易に所望の支持姿勢状態に全方位的に調節することができ、調節したら継手ロック手段で自在継手部の動きを固定化することで、その調節した物品支持姿勢状態が安定に保持される。
【００１６】
【発明の実施の形態】
本実施の形態例は、図１のように、天井Ａに液晶ビデオプロジェクター１００を支持姿勢調節可能に吊り下げて設置するための天吊り架台として本発明に従う架台１を使用した例である。
【００１７】
Ｃは壁面Ｂに吊り下げた投影スクリーンである。この投影スクリーンＣに対して液晶ビデオプロジェクター１００による映像投影が適切となるように架台１を調整することで液晶ビデオプロジェクター１００の支持姿勢を調節し、その調節した支持姿勢を固定化する。
【００１８】
図２は架台１の正面図、図３は側面図、図４は自在継手部の縦断面図である。２は据え部、３は物品取付部、４は据え部２と物品取付部３とを連結させた自在継手部である。本例ではこの自在継手部４は球継手である。
【００１９】
ａ）据え部２
図５は据え部２の斜視図である。この据え部２は鉄板を折り曲げ加工した略三角形状のトレー形部材であり、三角形の頂角部に対応する部分にはそれぞれ外向き水平の張り出しタグ部５を具備させ、その各タグ部５にボルト挿通穴６を形成してある。また据え部２の中央面部分には左右方向を長手とする長穴７を形成してある。
【００２０】
ｂ）物品取付部３
図６は物品取付部３の分解斜視図である。この物品取付部３は、鉄板を折り曲げ加工した長方形の外枠板８と、この外枠板３の内側中央部に嵌まる、同じく鉄板を折り曲げ加工した長方形の内側プレート部材９を有する。この内側プレート部材９の中央面部分にはねじ挿通穴１０を形成してあり、内側プレート部材９の内面側にはねじ挿通穴１０に対応位置させてナット１１を溶接して配設してある。
【００２１】
上記の物品取付部３の外枠板８と内側プレート部材９は、外枠板８の内側中央部に内側プレート部材９を嵌め入れ、外枠板８の前側壁と後側壁にそれぞれ２個ずつ具備させたねじ挿通穴１２に、内側プレート部材９の前側壁と後側壁にそれぞれ２個ずつ具備させたねじ穴１３を対応させ、各ねじ挿通穴１２から各ねじ穴１３にビス１４をねじ込むことで一体化される。
【００２２】
ｃ）球継手４
自在継手である球継手４に関して、主として図４を参照して、１７は第１の台座、１８はこの台座１７の中央部にモールドで具備させた雌ねじ部材、１９と２０は前後二つ割の抱球部材、２１はこの前後二つ割の抱球部材１９・２０を連結させた横ねじ棒、２２は横ねじ棒２１の回動操作レバー（継手ロック・解除レバー）、２３は前後二つ割の抱球部材１９・２０の間に抱持させた球体である。
【００２３】
第１の台座１７は円台座であり、その周面には円周溝を形成してあり、この円周溝に前後二つ割の抱球部材１９・２０の内側に具備させた円周方向の円弧凸条部を嵌係合させていることで第１の台座１７に対して前後二つ割の抱球部材１９・２０が外れ止めされる。
【００２４】
２５は球体２３に首部２４を介して連設した第２の台座である。この第２の台座２５には第１と第２の転輪２６と２７を同軸に具備させてある。第１の転輪２６には中央部に雌ねじ部材２８をモールドして具備させてある。第２の転輪２７には中央部に、第１の雄ねじ部２９とその先端部に同軸に連設した第２の雄ねじ部３０を有する二段雄ねじを具備させてある。この二段雄ねじの第１の雄ねじ部２９を第１の転輪２６の雌ねじ部材２８に螺合させて、この雌ねじ部材２８から突出した第１の雄ねじ部２９部分を第２の台座２５に設けた受孔３１に嵌入させてある。二段雄ねじの第２の雄ねじ部３０は受孔３１から第２の台座２５の外側に突出している。３２は転輪抑えばねである。
【００２５】
上記球継手４の第１の台座１７に対して据え部２が、ボルト３３を据え部２の長穴７を通して第１の台座１７側の雌ねじ部材１８に螺合させて緊締することで取付られる。
【００２６】
また、第２の台座２５に対して物品取付部３が、内側プレート部材９の中央面部分のねじ挿通穴１０に上記二段雄ねじの第２の雄ねじ部３０を対応させて挿入し、第２の転輪２７を回し操作して内側プレート部材９側のナット１１に螺合させて緊締することで取付られる。また第１の転輪２６を回し操作して弛み止めする。
【００２７】
前後二つ割の抱球部材１９・２０を連結させた横ねじ棒２２の回動操作レバー２２の回し操作により、球継手の動きをロック（固定化）したり、ロック解除したりすることができる。
【００２８】
即ち、図２においてレバー２２を実線示の垂直姿勢まで時計方向に回動操作することで、前後二つ割の抱球部材１９・２０が横ねじ棒２１で互いに引き寄せ移動されて球体２３が前後二つ割の抱球部材１９・２０の間にきつく挟み込まれて回転阻止の状態で抱持され、球継手の動きがきつくロックされた状態に保持される。
【００２９】
逆に、レバー２２を２点鎖線示のように反時計方向に回動操作することで、前後二つ割の抱球部材１９・２０が横ねじ棒２１で互いに離間移動されて球体２３のきつい挟み込による回転阻止が解除されてロック解除状態になる。このロック解除状態においては、物品取付部３を球継手部４により据え部２に対して傾動操作・回転操作することで容易に所望の支持姿勢状態に全方位的に調節することができ、調節したらレバー２２を継手ロック方向に回動操作して球継手部４の動きを固定化することで、その調節した物品取付部３の姿勢状態が安定に保持される。
【００３０】
ｄ）設置要領
図７は上記の架台１を天吊り架台として用いて天井Ａに液晶ビデオプロジェクター１００を支持姿勢調節可能に吊り下げて設置した状態の正面図である。図８はその側面図である。１０１は液晶ビデオプロジェクター１００の投影鏡筒部である。
【００３１】
天井Ａは本例の場合は液晶ビデオプロジェクター１００と天吊り架台１の重量を十分に支持し得る強度を有しているコンクリート天井である。天井Ａの下面の液晶ビデオプロジェクター１００を設置すべき部分には、予め、架台１の略三角形状の据え部２の３つのタグ部５にそれぞれ設けたボルト挿通穴６に対応する位置関係に都合３つのアンカーナット３５を植え込んで設けてある。
【００３２】
この天井Ａ側の３つのアンカーナット３５にそれぞれ架台１側の据え部２の
３つのタグ部５のボルト挿通穴６を対応位置させて据え部２を天井下面にあてがい、各ボルト挿通穴６にボルト３４を差し込んでアンカーナット３５に螺合してしっつかりと締め付ける。これにより天井下面に対して架台１が取付けられる。
【００３３】
架台１の物品取付部３は球継手４の第２の台座２５から取り外しておき、さらには全てのビス１４を外して外枠板８と内側プレート部材９とを分離する。内側プレート部材９を外した外枠板８を天吊り物品である液晶ビデオプロジェクター１００の上面板面に対してしっかりとビス止めして取付ける。
【００３４】
図６において、１６は外枠板８を液晶ビデオプロジェクター１００の上面板面に取付ける都合３本のビスである。１５は外枠板８側に設けた３つのビス挿入穴である。外枠板８側の３つのビス挿入穴１５をそれぞれ液晶ビデオプロジェクター１００の上面板側に位置対応させて設けてあるねじ穴（不図示）に一致させて外枠板８を液晶ビデオプロジェクター１００の上面板面にあてがい、各ビス挿入穴１５にビス１４を差し込んで液晶ビデオプロジェクター１００の上面板側のねじ穴に螺合してしっつかりと締め付ける。しかる後、内側プレート部材９を再び外枠板８に嵌め入れ、元のようにビス１４で外枠板８に止め直す。これにより液晶ビデオプロジェクター１００の上面板に物品取付部３が取付けられる。
【００３５】
この液晶ビデオプロジェクター１００を持ち上げて、既に天井Ａの下面に取付けてある架台１の球継手４の第２の台座２５に対して、液晶ビデオプロジェクター１００に取付けた物品取付部３を取付ける。その取付は物品取付部３の内側プレート部材９の中央面部分のねじ挿通穴１０に第２の台座２５側の二段雄ねじの第２の雄ねじ部３０を対応させて挿入し、第２の転輪２７を回し操作して内側プレート部材９側のナット１１に螺合させて緊締することで取付られる。また第１の転輪２６を回し操作して弛み止めをする。
【００３６】
これにより液晶ビデオプロジェクター１００が天井Ａに対して天吊り架台１を介して吊り下げられて設置される。
【００３７】
液晶ビデオプロジェクター１００を持ち上げて、既に天井Ａの下面に取付けてある架台１の球継手４の第２の台座２５に対して、液晶ビデオプロジェクター１００に取付けた物品取付部３を結合させて液晶ビデオプロジェクター１００を天井Ａに天吊り架台１を介して吊り下げた状態にする作業は、物品取付部３側のねじ挿通穴１０に第２の台座２５側の二段雄ねじの第２の雄ねじ部３０を対応させて挿入し、第２の転輪２７を回し操作して内側プレート部材９側のナット１１に螺合させて緊締し、第１の転輪２６を回し操作して弛み止めをするだけの簡単な操作であり、液晶ビデオプロジェクター１００を持ち上げている時間は短時間で済み、作業は楽である。
【００３８】
そして、継手ロック解除状態において、物品取付部３に取付た液晶ビデオプロジェクター１００は物品取付部３を球継手部４により据え部２に対して傾動操作・回転操作することで容易に所望の支持姿勢状態に調節することができ、調節したら継手ロック手段２２で球継手部４の動きを固定化することで、その調節した液晶ビデオプロジェクター１００の支持姿勢状態が安定に保持される。
【００３９】
即ち、液晶ビデオプロジェクター１００は自在継手である球継手部４により任意の平面内で回転または傾斜させて全方位的に支持姿勢を調節することができ、またその調節した支持姿勢状態をロック手段でロックして安定に保持させることができる。
【００４０】
また、本例の場合は据え部２に設けた左右方向の長穴７の長さ範囲において据え部２に対して球継手部４の取付位置をずらすことで液晶ビデオプロジェクター１００の左右位置も調節することができる。
【００４１】
なお、天井Ａに対する天吊り架台１と液晶ビデオプロジェクター１００の取付手順は上記に限られるものではない。
【００４２】
また、図９の例のように据え部２と球継手部４との間に例えばターンバックル３６を具備させることで、液晶ビデオプロジェクター１００の上下位置も調節可能にすることもできる。
【００４３】
据え部２は上述例のような形態のものに限らず、任意の形態のものにすることができ、天井等に対する取付形態も任意の形態のものにすることができる。
【００４４】
物品取付部３も上述例のような形態のものに限らず、任意の形態のものにすることができ、物品の取付形態も任意の形態のものにすることができる。
【００４５】
自在継手部４は上述例のような球継手に限られないことは勿論である。
【００４６】
本発明の架台１は上述例の天吊り架台１としての使用に限られるものではない。例えば、図１０のように、机等の台Ｄ上や床Ｆ上に架台１の据え部２を据え置く、さらにはボルト等の定着具により固定して架台１を取付け、上向きの物品取付部３に液晶ビデオプロジェクター１００を取付、その支持姿勢を自在継手である球継手部４により調節し、その調節した支持姿勢状態をロック手段でロックして安定に保持させることができる（テーブルトップタイプ）。
【００４７】
また、架台１の物品取付部３に支持させる物品は上述例の液晶ビデオプロジェクター１００やその他の投影装置に限られるものではなく、任意であることは勿論である。例えばテレビジョン・ディスプレイ装置・監視カメラなどであってもよい。図１１は巻き込みタイプのスクリーン装置２００を天吊り設置した例を示している。
【００４８】
【発明の効果】
以上詳述したように本発明によれば、物品を支持姿勢調節可能に設置する架台として、構造的に単純で、低コストに量産することが可能で、容易に所望の支持姿勢状態に調節することができ、調節したら継手ロック手段で自在継手部の動きを固定化することで、その調節した物品支持姿勢状態を安定に保持させることができる、簡便で安価な架台を提供することができる。
【図面の簡単な説明】
【図１】  液晶ビデオプロジェクターを架台を介して天吊り設置した状態を示す図
【図２】  架台の正面図
【図３】  その側面図
【図４】  球継手の縦断面図
【図５】  据え部の斜視図
【図６】  物品取付部の分解斜視図
【図７】  液晶ビデオプロジェクターを天吊り設置した状態の正面図
【図８】  その側面図
【図９】  ターンバックルを具備させた架台の側面図
【図１０】  その他の設置形態例の図
【図１１】  スクリーンを架台を介して天吊り設置した状態を示す図
【符号の説明】
１・・架台、２・・据え部、３・・物品取付部、４・・自在継手部（球継手部）、５・・継手ロック・解除レバー、１００・・液晶ビデオプロジェクター、Ａ・・天井、Ｂ・・壁面、Ｃ・・スクリーン、Ｄ・・机等の台、Ｆ・・床
【図１】
0003669908.tif 000002
【図２】
0003669908.tif 000003
【図３】
0003669908.tif 000004
【図４】
0003669908.tif 000005
【図５】
0003669908.tif 000006
【図６】
0003669908.tif 000007
【図７】
0003669908.tif 000008
【図８】
0003669908.tif 000009
【図９】
0003669908.tif 000010
【図１０】
0003669908.tif 000011
【図１１】
0003669908.tif 000012